【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
未反応のイソシアネート基を有しない化合物の有機溶液または水性分散液を含む組成物であって、該化合物が
（ｉ）（ａ）イソシアネート、ジイソシアネート、ポリイソシアネート又はこれらの混合物から選択される少なくとも１つのイソシアネート基含有化合物と、（ｂ）式（Ｉａ）、（Ｉｂ）、
【化１】
2016524628.tif 000001
2016524628.tif 000002
式中、各Ｒは、それぞれ独立して、−Ｈ、−Ｒ1、−Ｃ（Ｏ）Ｒ1、−（ＣＨ2ＣＨ2Ｏ）n（ＣＨ（ＣＨ3）ＣＨ2Ｏ）mＲ2、又は−（ＣＨ2ＣＨ2Ｏ）n（ＣＨ（ＣＨ3）ＣＨ2Ｏ）mＣ（Ｏ）Ｒ1であり、
各ｎは、それぞれ独立して０〜２０であり、
各ｍは、それぞれ独立して０〜２０であり、
ｍ＋ｎは、０より大きく、
各Ｒ1は、それぞれ独立して、任意選択的に少なくとも１つの不飽和結合を含む５〜２９つの炭素を有する直鎖又は分岐鎖アルキル基であり、
各Ｒ2は、それぞれ独立して、−Ｈ、又は任意選択的に少なくとも１つの不飽和結合を含む６〜３０つの炭素を有する直鎖若しくは分岐鎖アルキル基であり、
又はこれらの混合物から選択される少なくとも１つのイソシアネート反応性化合物とを反応させることを含む方法によって調製され、
但し該化合物が式（Ｉａ）に属する場合、Ｒ又はＲ2の少なくとも１つが−Ｈであり、及び、少なくとも１つのＲが、−Ｃ（Ｏ）Ｒ1、−（ＣＨ2ＣＨ2Ｏ）n（ＣＨ（ＣＨ3）ＣＨ2Ｏ）mＲ2、若しくは−（ＣＨ2ＣＨ2Ｏ）n（ＣＨ（ＣＨ3）ＣＨ2Ｏ）mＣ（Ｏ）Ｒ1から選択され、
各Ｒ3は、それぞれ独立して、−Ｈ、−Ｒ1、−Ｃ（Ｏ）Ｒ1、−（ＣＨ2ＣＨ2Ｏ）n’（ＣＨ（ＣＨ3）ＣＨ2Ｏ）m’Ｒ2、又は−（ＣＨ2ＣＨ2Ｏ）n’（ＣＨ（ＣＨ3）ＣＨ2Ｏ）m’Ｃ（Ｏ）Ｒ1であり、
各Ｒ4は、それぞれ独立して、−Ｈ、任意選択的に少なくとも１つの不飽和結合を含む６〜３０つの炭素を有する直鎖若しくは分岐鎖アルキル基、若しくはこれらの組み合わせ；−（ＣＨ2ＣＨ2Ｏ）n’（ＣＨ（ＣＨ3）ＣＨ2Ｏ）m’Ｒ2；又は−（ＣＨ2ＣＨ2Ｏ）n’（ＣＨ（ＣＨ3）ＣＨ2Ｏ）m’Ｃ（Ｏ）Ｒ1；であり、
各ｎ’は、それぞれ独立して０〜２０であり、
各ｍ’は、それぞれ独立して０〜２０であり、
ｍ’＋ｎ’は、０より大きく、
但し該化合物が式（Ｉｂ）に属する場合、該化合物は、アルキル基で一置換、二置換若しくは三置換されて、及び、Ｒ2、Ｒ3若しくはＲ4の少なくとも１つが−Ｈである、組成物。
【請求項２】
式（Ｉａ）及び（Ｉｂ）の前記化合物が少なくとも５０％バイオ系由来である、請求項１に記載の組成物。
【請求項３】
前記ジイソシアネート又はポリイソシアネートが、ヘキサメチレンジイソシアネートホモポリマー、３−イソシアネートメチル−３，４，４−トリメチルシクロヘキシルイソシアネート、ビス−（４−イソシアネートシロヘキシル）メタン、並びに式（ＩＩａ）、（ＩＩｂ）、（ＩＩｃ）及び（ＩＩｄ）のジイソシアネートの３量体からなる群から選択される、請求項１に記載の組成物。
【化２】
2016524628.tif 000003
2016524628.tif 000004
2016524628.tif 000005
2016524628.tif 000006
【請求項４】
工程（ｉ）が、（ｃ）水、式（ＩＩＩａ）
Ｒ5−Ｘ      （ＩＩＩａ）
の少なくとも１つの有機化合物、
式（ＩＩＩｂ）
Ｒ15−（ＯＣＨ2ＣＨ（ＯＲ16）ＣＨ2）z−ＯＲ17    （ＩＩＩｂ）
の少なくとも１つの有機化合物、
又はこれらの混合物から選択される少なくとも１つの第２の化合物を反応させることを更に含み、式中、
Ｒ5は、任意選択的に少なくとも１つの不飽和基を含む−Ｃ1〜Ｃ30直鎖又は分岐鎖アルキル、ヒドロキシ官能性Ｃ1〜Ｃ30直鎖又は分岐鎖アルキル、ヒドロキシ官能性直鎖又は分岐鎖Ｃ1〜Ｃ30ポリエーテル、ヒドロキシ官能性直鎖又は分岐鎖ポリエステル、ヒドロキシ又はアミン官能性直鎖又は分岐鎖オルガノシロキサン、チオール官能性Ｃ1〜Ｃ30直鎖又は分岐鎖アルキル、アミン官能性Ｃ1〜Ｃ30直鎖又は分岐鎖アルキルから選択され、
【化３】
2016524628.tif 000007
式中、
Ｒ7、Ｒ8及びＲ9は、それぞれ独立して、−Ｈ、−Ｃ1〜Ｃ6アルキル又はこれらの組み合わせであり、
Ｒ10は、炭素１〜２０つの二価のアルキル基であり、
Ｘは、−ＯＨ、−Ｃ（Ｏ）ＯＨ、−ＳＨ、−ＮＨ（Ｒ12）、−Ｏ−（ＣＨ2ＣＨ2Ｏ）s（ＣＨ（ＣＨ3）ＣＨ2Ｏ）t−Ｈ、又は−［Ｃ（Ｏ）］−Ｏ−（ＣＨ2ＣＨ2Ｏ）s（ＣＨ（ＣＨ3）ＣＨ2Ｏ）t−Ｈから選択されるイソシアネート反応性基であり、
Ｒ12は、−Ｈ又は一価のＣ１〜Ｃ６アルキル基であり、
Ｒ15、Ｒ16又はＲ17の少なくとも１つが−Ｈである場合、Ｒ15、Ｒ16又はＲ17は、それぞれ独立して、−Ｈ、−Ｒ18、−Ｃ（Ｏ）Ｒ18であり、
Ｒ18は、独立して、任意選択的に少なくとも１つの不飽和結合を含む５〜２９つの炭素を有する直鎖又は分岐鎖アルキル基であり、
ｚは、１〜１５であり、
Ｙは、−Ｃｌであり、
ｓは、０〜５０の整数であり、
ｔは、０〜５０の整数であり、
ｓ＋ｔは、０より大きい、請求項１に記載の組成物。
【請求項５】
前記第２の化合物（ｃ）が式（ＩＩＩａ）に属し、及び、Ｘが−Ｏ−（ＣＨ2ＣＨ2Ｏ）s（ＣＨ（ＣＨ3）ＣＨ2Ｏ）t−Ｈ、又は−［Ｃ（Ｏ）］−Ｏ−（ＣＨ2ＣＨ2Ｏ）s（ＣＨ（ＣＨ3）ＣＨ2Ｏ）t−Ｈである、請求項４に記載の組成物。
【請求項６】
前記第２の化合物（ｃ）が式（ＩＩＩｂ）に属する、請求項４に記載の組成物。
【請求項７】
前記（ｂ）が式（Ｉａ）
【化４】
2016524628.tif 000008
から選択される少なくとも１つの化合物であり、
式中、Ｒは、それぞれ独立して、−Ｈ、−Ｒ1又は−Ｃ（Ｏ）Ｒ1である、請求項１に記載の組成物。
【請求項８】
前記（ｂ）が式（Ｉａ）
【化５】
2016524628.tif 000009
から選択される少なくとも１つの化合物であり、
式中、Ｒは、それぞれ独立して、−Ｈ、−（ＣＨ2ＣＨ2Ｏ）n（ＣＨ（ＣＨ3）ＣＨ2Ｏ）mＲ2、又は−（ＣＨ2ＣＨ2Ｏ）n（ＣＨ（ＣＨ3）ＣＨ2Ｏ）mＣ（Ｏ）Ｒ1である、請求項１に記載の組成物。
【請求項９】
前記（ｂ）が式（Ｉｂ）から選択される少なくとも１つの化合物である、請求項１に記載の組成物。
【化６】
2016524628.tif 000010
【請求項１０】
未反応のイソシアネート基を有しない有機溶液または水性組成物を調製する方法であって、該方法が、
（ｉ）（ａ）イソシアネート、ジイソシアネート、ポリイソシアネート又はこれらの混合物から選択される少なくとも１つのイソシアネート基含有化合物と、（ｂ）式（Ｉａ）、若しくは（Ｉｂ）、
【化７】
2016524628.tif 000011
2016524628.tif 000012
式中、各Ｒは、それぞれ独立して、−Ｈ、−Ｒ1、−Ｃ（Ｏ）Ｒ1、
−（ＣＨ2ＣＨ2Ｏ）n（ＣＨ（ＣＨ3）ＣＨ2Ｏ）mＲ2、
又は−（ＣＨ2ＣＨ2Ｏ）n（ＣＨ（ＣＨ3）ＣＨ2Ｏ）mＣ（Ｏ）Ｒ1であり、
各ｎは、それぞれ独立して０〜２０であり、
各ｍは、それぞれ独立して０〜２０であり、
ｍ＋ｎは、０より大きく、
各Ｒ1は、それぞれ独立して、任意選択的に少なくとも１つの不飽和結合を含む５〜２９つの炭素を有する直鎖又は分岐鎖アルキル基であり、
各Ｒ2は、それぞれ独立して、−Ｈ、又は任意選択的に少なくとも１つの不飽和結合を含む６〜３０つの炭素を有する直鎖若しくは分岐鎖アルキル基であり、
又はこれらの混合物から選択される少なくとも１つのイソシアネート反応性化合物とを反応させることを含み、
但し該化合物が式（Ｉａ）に属する場合、Ｒ又はＲ2の少なくとも１つが−Ｈであり、及び、少なくとも１つのＲが、−Ｃ（Ｏ）Ｒ1、−（ＣＨ2ＣＨ2Ｏ）n（ＣＨ（ＣＨ3）ＣＨ2Ｏ）mＲ2、若しくは−（ＣＨ2ＣＨ2Ｏ）n（ＣＨ（ＣＨ3）ＣＨ2Ｏ）mＣ（Ｏ）Ｒ1から選択され、
各Ｒ3は、それぞれ独立して、−Ｈ、−Ｒ1、−Ｃ（Ｏ）Ｒ1、−（ＣＨ2ＣＨ2Ｏ）n’（ＣＨ（ＣＨ3）ＣＨ2Ｏ）m’Ｒ2、又は−（ＣＨ2ＣＨ2Ｏ）n’（ＣＨ（ＣＨ3）ＣＨ2Ｏ）m’Ｃ（Ｏ）Ｒ1であり、
各Ｒ4は、それぞれ独立して、−Ｈ、任意選択的に少なくとも１つの不飽和結合を含む６〜３０つの炭素を有する直鎖若しくは分岐鎖アルキル基、若しくはこれらの組み合わせ；−（ＣＨ2ＣＨ2Ｏ）n’（ＣＨ（ＣＨ3）ＣＨ2Ｏ）m’Ｒ2；又は−（ＣＨ2ＣＨ2Ｏ）n’（ＣＨ（ＣＨ3）ＣＨ2Ｏ）m’Ｃ（Ｏ）Ｒ1；であり、
各ｎ’は、それぞれ独立して０〜２０であり、
各ｍ’は、それぞれ独立して０〜２０であり、
ｍ’＋ｎ’は、０より大きく、
但し該化合物が式（Ｉｂ）に属する場合、該化合物は、アルキル基で一置換、二置換又は三置換されて、及び、Ｒ2、Ｒ3若しくはＲ4の少なくとも１つが−Ｈである、方法。
【請求項１１】
繊維状基材を処理する方法であって、該方法が該基材表面に水性組成物を適用することを含み、該水性組成物が未反応のイソシアネート基を有しない化合物を含み、該化合物が、
（ｉ）（ａ）イソシアネート、ジイソシアネート、ポリイソシアネート又はこれらの混合物から選択される少なくとも１つのイソシアネート基含有化合物と、（ｂ）式（Ｉａ）、若しくは（Ｉｂ）、
【化８】
2016524628.tif 000013
2016524628.tif 000014
式中、各Ｒは、それぞれ独立して、−Ｈ、−Ｒ1、−Ｃ（Ｏ）Ｒ1、−（ＣＨ2ＣＨ2Ｏ）n（ＣＨ（ＣＨ3）ＣＨ2Ｏ）mＲ2、又は−（ＣＨ2ＣＨ2Ｏ）n（ＣＨ（ＣＨ3）ＣＨ2Ｏ）mＣ（Ｏ）Ｒ1であり、
各ｎは、それぞれ独立して０〜２０であり、
各ｍは、それぞれ独立して０〜２０であり、
ｍ＋ｎは、０より大きく、
各Ｒ1は、それぞれ独立して、任意選択的に少なくとも１つの不飽和結合を含む５〜２９つの炭素を有する直鎖又は分岐鎖アルキル基であり、
各Ｒ2は、それぞれ独立して、−Ｈ、又は任意選択的に少なくとも１つの不飽和結合を含む６〜３０つの炭素を有する直鎖若しくは分岐鎖アルキル基であり、
又はこれらの混合物から選択される少なくとも１つのイソシアネート反応性化合物とを反応させることにより調製され、
但し該化合物が式（Ｉａ）に属する場合、Ｒ又はＲ2の少なくとも１つが−Ｈであり、及び、少なくとも１つのＲが、−Ｃ（Ｏ）Ｒ1、−（ＣＨ2ＣＨ2Ｏ）n（ＣＨ（ＣＨ3）ＣＨ2Ｏ）mＲ2、若しくは−（ＣＨ2ＣＨ2Ｏ）n（ＣＨ（ＣＨ3）ＣＨ2Ｏ）mＣ（Ｏ）Ｒ1から選択され、
各Ｒ3は、それぞれ独立して、−Ｈ、−Ｒ1、−Ｃ（Ｏ）Ｒ1、−（ＣＨ2ＣＨ2Ｏ）n’（ＣＨ（ＣＨ3）ＣＨ2Ｏ）m’Ｒ2、又は−（ＣＨ2ＣＨ2Ｏ）n’（ＣＨ（ＣＨ3）ＣＨ2Ｏ）m’Ｃ（Ｏ）Ｒ1であり、
各Ｒ4は、それぞれ独立して、−Ｈ、任意選択的に少なくとも１つの不飽和結合を含む６〜３０つの炭素を有する直鎖若しくは分岐鎖アルキル基、若しくはこれらの組み合わせ；−（ＣＨ2ＣＨ2Ｏ）n’（ＣＨ（ＣＨ3）ＣＨ2Ｏ）m’Ｒ2；又は−（ＣＨ2ＣＨ2Ｏ）n’（ＣＨ（ＣＨ3）ＣＨ2Ｏ）m’Ｃ（Ｏ）Ｒ1；であり、
各ｎ’は、それぞれ独立して０〜２０であり、
各ｍ’は、それぞれ独立して０〜２０であり、
ｍ’＋ｎ’は、０より大きく、
但し該化合物が式（Ｉｂ）に属する場合、該化合物は、アルキル基で一置換、二置換又は三置換されて、及び、Ｒ2、Ｒ3若しくはＲ4の少なくとも１つが−Ｈであり、
該化合物が撥水性及び任意選択的に汚れ除去性をこれらと接触する基材に提供する、方法。
【請求項１２】
請求項１１に記載の方法に従って処理される基材。
【請求項１３】
繊維、糸、布地、混紡布、織物、スパンレース不織布、カーペット、綿の紙若しくは革、セルロース、ウール、シルク、レーヨン、ナイロン、アラミド、アセテート、アクリル、黄麻、サイザル麻、海草、コイア、ポリアミド、ポリエステル、ポリオレフィン、ポリアクリロニトリル、ポリプロピレン、ポリアラミド、又はこれらの混合物である、請求項１２に記載の基材。